【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
サウンドプログラムコンテンツ片をエンコードするための方法であって、
前記サウンドプログラムコンテンツ片の再生中に強調するべき前記サウンドプログラムコンテンツ片内の第１のチャネルグループを決定する処理であって、前記サウンドプログラムコンテンツ片が、前記第１のチャネルグループ、オブジェクト又はステム、及び第２のチャネルグループ、オブジェクト又はステムを含む複数のチャネルグループを有する当該処理と、
前記サウンドプログラムコンテンツ片における第１の期間中に、前記第１のチャネルグループ、オブジェクト又はステム内の発語（スピーチ）を検出する一方で、前記サウンドプログラムコンテンツ片における前記第１の期間中に、前記第２のチャネルグループに適用するべきダッキング値を変えるシーケンス時間を生成する処理と、
前記ダッキング値を前記第１のチャネルグループ、オブジェクト又はステムに関連付ける処理と、
音声アセット内のサウンドプログラムコンテンツ及びメタデータをエンコードする処理であって、エンコードした前記サウンドプログラムコンテンツが、前記第１のチャネルグループ、オブジェクト又はステム、前記第２のチャネルグループ、オブジェクト又はステム、及び前記第１のチャネルグループに関連付けられた前記ダッキング値を有する前記メタデータを含んでいる当該処理と、
を含む、方法。
【請求項２】
前記ダッキング値は、前記第１のチャネルグループ、オブジェクト又はステム内における活性に基づいて時間とともに変化し、前記第１のチャネルグループ内における高活性の期間中では、前記ダッキング値は、前記第１のチャネルグループ、オブジェクト又はステム内における低活性の間よりも前記第２のチャネルグループのダッキングを再生中に多く提供する、請求項１に記載の方法。
【請求項３】
前記ダッキング値が、前記サウンドプログラムコンテンツ片内の第３のチャネルグループ、オブジェクト又はステムにも適用するべく生成され、
前記第２のチャネルグループ、オブジェクト又はステム、及び前記第３のチャネルグループ、オブジェクト又はステムのために前記ダッキング値の別個のセットが生成され、前記第２のチャネルグループ、オブジェクト又はステムは、前記第３のチャネルグループ、オブジェクト又はステムよりも強調されないようにする、請求項１に記載の方法。
【請求項４】
前記ダッキング値が、再生中に前記第２のチャネルグループ、オブジェクト又はステムのダイナミックレンジを縮小させる、請求項１に記載の方法。
【請求項５】
前記ダッキング値が、再生中に前記第２のチャネルグループ、オブジェクト又はステムを音場内で移動させる、請求項１に記載の方法。
【請求項６】
前記ダッキング値が、前記第２のチャネルグループ、オブジェクト又はステムに適用されるときに、前記第２のチャネルグループ、オブジェクト又はステムに関連付けられた音響を減衰させる、０デシベル以下のゲイン値である、請求項５に記載の方法。
【請求項７】
前記ダッキング値の適切なセットがチャネルグループ、オブジェクト又はステムの対応するセットに関連付けられるように、チャネル、オブジェクト又はステムの複数のグループ化の各々が、別個の識別子、及びダッキング値の対応するセットに関連付けられる、請求項１に記載の方法。
【請求項８】
サウンドプログラムコンテンツ片をエンコードするための方法であって、
前記サウンドプログラムコンテンツ片の再生中に強調するべき前記サウンドプログラムコンテンツ片内の第１のチャネルグループを決定する処理であって、前記サウンドプログラムコンテンツ片が、前記第１のチャネルグループ、オブジェクト又はステム、及び第２のチャネルグループ、オブジェクト又はステムを含む複数のチャネルグループを有する当該処理と、
前記複数のチャネルグループの前記サウンドプログラムコンテンツ片をまとめて分析する処理であって、前記サウンドプログラムコンテンツ片の再生中に前記複数のチャネルグループの各グループに適用されるべきダイナミックレンジ圧縮（ＤＲＣ）ゲイン値を決定する、当該処理と、
前記第１のチャネルグループ内の活性を検出する一方で、前記第２のチャネルグループに適用するべきダッキング値を変えるシーケンス時間を生成する処理と、
前記ダッキング値を前記第１のチャネルグループ、オブジェクト又はステムに関連付ける処理と、
音声アセット内のサウンドプログラムコンテンツ及びメタデータをエンコードする処理であって、エンコードした前記サウンドプログラムコンテンツが、前記第１のチャネルグループ、オブジェクト又はステム、及び前記第２のチャネルグループ、オブジェクト又はステムを含む前記複数のチャネルグループと、前記第１のチャネルグループに関連付けられた前記ダッキング値を有する前記メタデータと、前記複数のチャネルグループの各グループに適用されるべき前記ＤＲＣゲイン値とを含む、当該処理と、
を含む、方法。
【請求項９】
前記ダッキング値は、前記第１のチャネルグループ、オブジェクト又はステム内における活性に基づいて時間とともに変化し、前記第１のチャネルグループ内における高活性の期間中では、前記ダッキング値は、前記第１のチャネルグループ、オブジェクト又はステム内における低活性の間よりも前記第２のチャネルグループのダッキングを再生中に多く提供する、請求項８に記載の方法。
【請求項１０】
前記ダッキング値が、前記サウンドプログラムコンテンツ片内の第３のチャネルグループ、オブジェクト又はステムにも適用するべく生成され、
前記第２のチャネルグループ、オブジェクト又はステムよりも前記第３のチャネルグループ、オブジェクト又はステムが強調されないようにする前記ダッキング値の別個のセットを、前記第２のチャネルグループ、オブジェクト又はステム、及び前記第３のチャネルグループ、オブジェクト又はステムのために生成する、請求項８に記載の方法。
【請求項１１】
前記ダッキング値が、再生中に前記第２のチャネルグループ、オブジェクト又はステムを音場内で移動させる、請求項８に記載の方法。
【請求項１２】
音声装置であって、
プロセッサと、
前記プロセッサにより、サウンドプログラムコンテンツ片がエンコードされるプログラム命令を記憶したメモリと、を備え、
前記プロセッサは、
複数のチャネルグループのサウンドプログラムコンテンツ片をまとめて分析することであって、前記サウンドプログラムコンテンツ片の再生中に前記複数のチャネルグループの各グループに適用されるべきダイナミックレンジ圧縮（ＤＲＣ）ゲイン値を決定し、前記複数のチャネルグループのサウンドプログラムコンテンツ片は、第１のチャネルグループ、オブジェクト又はステム，及び第２のチャネルグループ、オブジェクト又はステムを含むことと、
前記第１のチャネルグループ内の活性を検出する一方で、前記第２のチャネルグループに適用するべきダッキング値を変えるシーケンス時間を生成することと、
前記ダッキング値を前記第１のチャネルグループ、オブジェクト又はステムに関連付けることと、
音声アセット内のサウンドプログラムコンテンツ及びメタデータをエンコードすることであって、エンコードした前記サウンドプログラムコンテンツが、前記第１のチャネルグループ、オブジェクト又はステム、及び前記第２のチャネルグループ、オブジェクト又はステムを含む前記複数のチャネルグループと、前記第１のチャネルグループに関連付けられた前記ダッキング値を有する前記メタデータと、前記複数のチャネルグループの各グループに適用されるべき前記ＤＲＣゲイン値とを含むこと、
を実行するようにプログラム化されている、音声装置。
【請求項１３】
前記ダッキング値は、前記第１のチャネルグループ、オブジェクト又はステム内における活性に基づいて時間とともに変化し、前記第１のチャネルグループ内における高活性の期間中では、前記ダッキング値は、前記第１のチャネルグループ、オブジェクト又はステム内における低活性の間よりも前記第２のチャネルグループのダッキングを再生中に多く提供する、請求項１２に記載の音声装置。
【請求項１４】
前記メモリは、前記サウンドプログラムコンテンツ片内の第３のチャネルグループ、オブジェクト又はステムにも適用するために前記ダッキング値の別個のセットを生成するよう前記プロセッサに指示するプログラム命令を更に記憶し、
前記第２のチャネルグループ、オブジェクト又はステムよりも前記第３のチャネルグループ、オブジェクト又はステムが強調されないようにする、請求項１２に記載の音声装置。
【請求項１５】
前記ダッキング値が、再生中に前記第２のチャネルグループ、オブジェクト又はステムを音場内で移動させる、請求項１２に記載の音声装置。
【請求項１６】
音声システムであって、
プロセッサと、
前記プロセッサにより、サウンドプログラムコンテンツ片がデコードされるプログラム命令を記憶したメモリと、を備え、
前記プロセッサは、
(i)第１のチャネルグループ、オブジェクト又はステム、及び第２のチャネルグループ、オブジェクト又はステムを含む複数のチャネルグループと、(ii)前記第１のチャネルグループ、オブジェクト又はステムに関連付けられたダッキング値であって、前記第１のチャネルグループ、オブジェクト又はステム内で検出された発語活性に基づき生成された当該ダッキング値を変えるシーケンス時間を有するメタデータと、を含む前記サウンドプログラムコンテンツ片を包含する音声アセットを受信すること、
(ii)前記ダッキング値を、前記第１のチャネルグループ、オブジェクト又はステム、及び前記第２のチャネルグループ、オブジェクト又はステムと共に抽出すること、
前記サウンドプログラムコンテンツ片の再生中に前記第２のチャネルグループ、オブジェクト又はステムが強調されないようにする前記ダッキング値の適用をすること、
を実行するようにプログラム化されている、音声システム。
【請求項１７】
前記メモリは、前記第１のチャネルグループ、オブジェクト又はステムが再生のために選択されるかに基づき、前記ダッキング値を適用すべきかの決定をするよう前記プロセッサに指示するプログラム命令を更に記憶し、
再生のために前記第１のチャネルグループ、オブジェクト又はステムが選択されないとき、前記ダッキング値は適用されない、請求項１６に記載の音声システム。
【請求項１８】
前記メモリは、前記メタデータから別のセットのダッキング値を抽出して、前記サウンドプログラムコンテンツ片内の第３のチャネルグループ、オブジェクト又はステムに前記別のセットのダッキング値を適用するよう前記プロセッサに指示するプログラム命令を更に記憶し、
前記第２のチャネルグループ、オブジェクト又はステムよりも前記第３のチャネルグループ、オブジェクト又はステムが強調されないようにする、請求項１６に記載の音声システム。
【請求項１９】
前記ダッキング値は、再生中に前記第２のチャネルグループのダイナミックレンジの縮小を生じさせる、請求項１６に記載の音声システム。
【請求項２０】
前記ダッキング値は、再生中に前記第２のチャネルグループ、オブジェクト又はステムを音場内で移動させる、請求項１６に記載の音声システム。